(57)【特許請求の範囲】
【請求項１】
表示部と、
前記表示部に情報を表示するための電気基板と、
前記表示部の一端と前記電気基板とを接続する電気ケーブルと、
前記表示部と対向する位置に開口を有するカバーと
前記開口を覆うための絶縁性材料からなり、前記カバーを挟んでそれぞれ配置される第１シートと第２シートと、を備え、
前記第１シートは、前記カバーの前記表示部側に配置され、
前記第２シートは、前記カバーの前記表示部の反対側に配置され、
前記電気ケーブルが設けられている一端側の前記開口の縁から前記第１シートの縁までの距離は、他端側の前記開口の縁から前記第１シートの縁までの距離よりも長いことを特徴とする画像形成装置。
【請求項２】
前記第１シートまたは前記第２シートの縁から前記開口の縁までの距離は、前記第１シートの前記表示部側の表面から前記第２シートの前記表示部の反対側の表面までの距離よりも長いことを特徴とする請求項１に記載の画像形成装置。
【請求項３】
前記開口の縁から前記第１シートの縁までの距離は、前記開口の縁から前記表示部の縁に最も近い第１シート上の点までの距離よりも長いことを特徴とする請求項１または請求項２に記載の画像形成装置。
【請求項４】
前記第１シートの縁から前記表示部の縁に最も近い第１シートの上の点までの距離は、前記開口の縁から前記表示部の縁に最も近い第１シート上の点までの距離より長いことを特徴とする請求項１から請求項３のいずれかに記載の画像形成装置。
【請求項５】
前記カバーの前記開口の周りに設けられ、前記画像形成装置を操作するための操作スイッチを配置させるための孔と、
前記カバーの前記表示部側の面に設けられ、前記カバーから前記表示部側に突出する壁面と、を有し、
前記壁面は、前記第１シートの縁よりも外側に位置することを特徴とする請求項１から請求項４のいずれかに記載の画像形成装置。
【請求項６】
前記開口の縁から前記第１シートの縁までの距離と、前記開口の縁から前記第２シートの縁までの距離が等しいことを特徴とする請求項１から請求項５のいずれかに記載の画像形成装置。
【請求項７】
前記カバーの前記第２シートが設けられている側の前記開口の周りには、前記表示部側に向けて凹んだ凹部が備えられており、
前記第２シートは前記凹部内に配置されていることを特徴とする請求項１から請求項６のいずれかに記載の画像形成装置。
【発明の詳細な説明】
【技術分野】
【０００１】
本発明は、情報を表示する表示部を備える画像形成装置に関する。
【背景技術】
【０００２】
ユーザは、カバー部材に覆われた操作スイッチや表示パネルを操作することで画像形成装置を動作させている。しかし、ユーザが操作スイッチや表示パネルに触れるときに発生する静電気がカバー部材の裏面に設けられている電気基板に流れることで、電気基板が故障してしまう恐れがあった。そこで、カバー部材と電気基板との間に電気基板の大部分を覆う大きさの絶縁シートを備え、電気基板を静電気から保護する画像形成装置が知られている。
【０００３】
特許文献１では、操作パネルから電気基板に静電気が侵入するのを防ぐために、電気基板と操作パネルとの間に絶縁シートを備えている。操作パネルの操作スイッチなどが設けられる穴が開けられた位置の近くに配置される絶縁シートには、切欠き部が備えられており、その切欠部を絶縁壁で覆うというものが記載されている。
【先行技術文献】
【特許文献】
【０００４】
【特許文献１】特開2000-252093号公報
【発明の概要】
【発明が解決しようとする課題】
【０００５】
ところで、カバーに備えられる表示パネルには、表示部と対向する位置に開口が設けられている。ユーザが表示パネル周辺に触れたときに発生する静電気が開口を通って表示部に放電されることで、表示部が故障してしまう恐れがある。このため、表示部を静電気から保護するための機構が必要である。
【０００６】
しかしながら、特許文献１に記載の画像形成装置では、絶縁シートに設けられた切欠き部周辺を絶縁壁で覆わなければならず絶縁シートの構造が複雑になってしまっていた。
【０００７】
そこで、本願発明は簡単な構成で表示パネルや操作スイッチが設けられている開口から進入する静電気から表示部を保護することを目的とする。
【課題を解決するための手段】
【０００８】
上記の目的を達成するために請求項１に記載の発明は、表示部と、前記表示部に情報を表示するための電気基板と、前記表示部と対向する位置に開口を有するカバーと、前記開口を覆うための絶縁性材料からなり、前記カバーを挟んでそれぞれ配置される第１シートと第２シートと、を備え、前記第１シートは、前記カバーの前記表示部側に配置され、前記第２シートは、前記カバーの前記表示部の反対側に配置されていることを特徴とすることを特徴とする。
【０００９】
請求項２に記載の発明によれば、請求項１に記載の画像形成装置において、前記第１シートまたは前記第２シートの縁から前記開口の縁までの距離は、前記第１シートの前記表示部側の表面から前記第２シートの前記表示部の反対側の表面までの距離よりも長いことを特徴とする。
【００１０】
請求項３に記載の発明によれば、請求項１または請求項２のいずれかに記載の画像形成装置において、前記開口の縁から前記第１シートの縁までの距離は、前記開口の縁から前記表示部の縁に最も近い第１シート上の点までの距離よりも長いことを特徴する。
【００１１】
請求項４に記載の発明によれば、請求項１から請求項３のいずれかに記載の画像形成装置において、前記第１シートの縁から前記表示部の縁に最も近い第１シート上の点までの距離は、前記開口の縁から前記表示部の縁に最も近い第１シート上の点までの距離より長いことを特徴とする。
【００１２】
請求項５に記載の発明によれば、請求項１から請求項４のいずれかに記載の画像形成装置において、前記表示部の一端には前記電気基板に接続される電気ケーブルが備えられており、一端側の前記開口の縁から前記第１シートの縁までの距離は、他端側の前記開口の縁から前記第１シートの縁までの距離よりも長いことを特徴とする。
【００１３】
請求項６に記載の発明によれば、請求項１から請求項５のいずれかに記載の画像形成装置において、前記カバーの前記開口の周りに設けられ、前記画像形成装置を操作するための操作スイッチを配置させるための孔と、前記カバーの前記表示部側の面に設けられ、前記カバーから前記表示部側に突出する壁面と、を有し、前記壁面は、前記第１シートの縁よりも外側に位置することを特徴とする。
【００１４】
請求項７に記載の発明によれば、請求項１から請求項６のいずれかに記載の画像形成装置において、前記開口の縁から前記第１シートの縁までの距離と、前記開口の縁から前記第２シートの縁までの距離が等しいことを特徴とする。
【００１５】
請求項８に記載の発明によれば、請求項１から請求項７のいずれかに記載の画像形成装置において、前記カバーの前記第２シートが設けられている側の前記開口の周りには、前記表示部側に向けて凹んだ凹部が備えられており、前記第２シートは前記凹部内に配置されていることを特徴とする。
【発明の効果】
【００１６】
請求項１に記載の発明によれば、カバーに設けられた開口の表示部側に第１シートを配置し、表示部の反対側のカバーを挟んで第１シートと対向する位置に第２シートを配置している。これにより、ユーザが開口周辺に触れたときに発生する静電気を表示部まで流さないようにするための沿面距離を長くすることができるので、表示部を静電気から保護することができ、表示部の故障を抑制することができる。
【００１７】
請求項２に記載の発明によれば、第１シートまたは第２シートの縁から開口までの距離を第１シートの表示部側の面から第２シートの表示部の反対側の面までの距離よりも長くしている。これにより、開口の深さ方向の長さを抑制しながら、開口周辺から表示部までの沿面距離を長くすることができ、省スペース化を図りながら、表示部の故障を抑制することができる。
【００１８】
請求項３に記載の発明によれば、第１シートの縁が第１シート上の表示部の縁に最も近い点よりも開口から離れているので、開口から第1シートの縁までの距離が開口から第1シート上の表示部の縁に最も近い点までの距離以下のときに比べて、沿面距離を長くすることができ表示部の故障を抑制することができる。
【００１９】
請求項４に記載の発明によれば、開口の縁から前記表示部の縁に最も近い第１シート上の点までの距離よりも第１シートの縁から前記表示部の縁に最も近い第１シート上の点までの距離の方が長くなっている。第1シートの縁から前記表示部の縁に最も近い第１シート上の点までの距離を長くすることができるので、ユーザが触れた開口周辺から表示部までの沿面距離を長くすることができ表示部の故障を抑制することができる。
【００２０】
請求項５に記載の発明によれば、電気ケーブルが設けられている一端側の第1シートの縁から開口の縁までの距離は他端側の第1シートの縁から開口の縁までの距離よりも長くなっている。電気ケーブルが設けられると、表示部の縁よりも電気ケーブルの方が第1シートの縁から近い位置に配置されるため、沿面距離が短くなってしまうが、第1シートを長くすることで沿面距離を長くし、電気ケーブルおよび表示部の故障を抑制している。
【００２１】
請求項６に記載の発明によれば、カバーの開口の周りには操作スイッチを配置させるための孔が形成されており、カバーの表示部側の面には表示部側に向けて延出する壁面が設けられている。ユーザが操作スイッチを操作したときに孔から静電気が侵入してしまう恐れがあるが、壁面を有することで孔から表示部までの沿面距離を長くすることができ、表示部の故障を抑制する。また、壁面で沿面距離を長くすることができるので、開口と孔とを近づけて配置させることができ、スペースの有効に利用することができる。
【００２２】
請求項７に記載の発明によれば、開口の縁から第1シートの縁までの距離と開口の縁から第２シートの縁までの距離とを等しくした。これによって、第1シートもしくは第２シートのどちらかが長いときに比べて、同じ長さの沿面距離を稼ごうとするときに、第１シートもしくは第２シートを配置するために必要なスペースを削減することができ、開口の周りのスペースを有効に利用することができる。
【００２３】
請求項８に記載の発明によれば、第２シートが設けられる側の開口の周りには表示部側に凹んだ凹部が備えられており、第２シートは凹部内に配置されている。これによって、第２シートの表面がカバーから突出することを防止することができるので、第２シートをカバーからはがれにくくすることができる。
【図面の簡単な説明】
【００２４】
【図１】本実施形態に係る複合機の斜視図である。
【図２】本実施形態に係る操作パネルの斜視図である。
【図３】図２に係る操作パネルのカバーの裏面の斜視図である。
【図４】本実施形態に係る複合機のブロック図である。
【図５】図３の開口周辺の拡大図である。
【図６】本実施形態に係る表示部の固定方法を示す図である。
【図７】図５に表示部を取り付けたときの斜視図である。
【図８】図７における開口周辺のＡ−Ａ‘線における各部品の配置関係を説明するための図である。
【図９】図７における開口周辺のＢ−Ｂ‘線における各部品の配置関係を説明するための図である。
【発明を実施するための形態】
【００２５】
次に、本発明の実施形態について、適宜図面を参照しながら詳細に説明する。
【００２６】
＜実施形態１＞
本発明の実施形態を図１ないし図９を利用して説明する。
【００２７】
＜画像形成装置の外観構成＞
図１は、スキャナ機能、プリンタ機能、コピー機能、ファクシミリ機能等を有する画像形成装置１の斜視図である。ここで、画像形成装置１の概略構成の説明において、方向は、画像形成装置１を使用するユーザを基準にした方向で説明する。すなわち、図１における右手前側を「前」、左奥側を「後」とし、左手前側を「左」、右奥側を「右」とする。また、図１における上下方向を「上下」とする。
【００２８】
画像形成装置１は、用紙等の被記録媒体に画像を形成するための画像形成部１８（図４参照）を備えたプリンタ部１０の上部に、原稿を読み取るための読取部１１を備えている。読取部１１はいわゆるフラットベッド方式のものであって、図示しない原稿台に載置された原稿を図示しないＣＩＳ等のイメージセンサで読み取ることで原稿画像を入力し、入力した原稿画像の画像データを生成する。
【００２９】
原稿台の上方には、原稿カバー１２が原稿台に対して開閉可能に設けられている。また、原稿カバー１２には自動原稿搬送装置であるＡＤＦ１３(Ａｕｔｏ  Ｄｏｃｕｍｅｎｔ  Ｆｅｅｄｅｒ)が一体に設けられている。ＡＤＦ１３は給紙台１４にセットされた原稿をイメージセンサにより読み取り可能な位置へ搬送する。
【００３０】
＜操作パネルの概略構成＞
画像形成装置１の上部前面には、ユーザによる各種の入力操作が可能な操作パネル３０が設けられている。図２に操作パネル３０を上面から見た斜視図を示す。操作パネル３０は、カバー５０（請求項に記載のカバーの一例）と、表示パネル３２と、入力操作を行える複数の操作スイッチ３４（請求項に記載の操作スイッチの一例）と、カバー５０の裏面側に表示部４３（請求項に記載の表示部の一例、詳細は後述する）と、表示部４３に接続されている電気基板３６（請求項に記載の電気基板の一例、図８参照）と、を備えている。
【００３１】
図３にカバー５０と表示パネル３２を裏面から見た斜視図を示す。カバー５０には、複数の孔５２（請求項に記載の孔の一例）と開口５４（請求項に記載の開口の一例）とが設けられている。
【００３２】
表示パネル３２は、カバー５０の略中央に左右方向に長い長方形形状になっている。表示パネル３２は、開口５４と、開口５４の上面と下面に備えられる一対の絶縁シート４０（詳細は後述する）とから構成され、表示部４３と対向して配置されている。
【００３３】
操作スイッチ３４（図２では、１つのみに番号を付している）は、樹脂製のシートに形成された突起であって、突起の下面に導電性部材が配置されたものである。操作スイッチ３４を押すことで導電性部材が電気基板３６上の接点に接触し、スイッチのオン／オフを行っている。
【００３４】
操作スイッチ３４は、孔５２と対応する位置に設けられており、孔５２からカバー５０の表面側に露出されている。複数の操作スイッチ３４は、１枚の樹脂シート上に形成されており、樹脂シートが孔５２と電気基板３６の間に配置されている。これによって、孔５２と電気基板３６とは絶縁されており、ユーザが操作スイッチ３４に触れたときに発生する静電気によって電気基板３６が故障することを抑制している。
【００３５】
＜複合機の電気的構成＞
図４は、画像形成装置１の電気的構成を概略的に示すブロック図である。画像形成装置１は、ＣＰＵ１９、ＲＯＭ２０、ＲＡＭ２１、ＮＶＲＡＭ２２、読取部１１、画像形成部１８、表示部４３、操作スイッチ３４などが電気的に接続されている。
【００３６】
ＲＯＭ２０には、画像形成装置１の動作を制御するための各種のプログラムが記憶されており、ＣＰＵ１９はＲＯＭ２０から読み出したプログラムに従って、その処理結果をＲＡＭ２１またはＮＶＲＡＭ２２に記憶させながら、各部の制御を行う。
【００３７】
画像形成部１８は、用紙カセットにセットされた紙などの被記録媒体を搬送する搬送機構などを有し、画像データに基づいて被記録媒体上にレーザー方式やインクジェット方式などで画像を形成することにより画像を出力する。
【００３８】
＜開口周辺の具体的な構成＞
開口５４の周りには、図５に示すように、壁面５６（請求項に記載の壁面の一例）が形成されている。壁面５６は、右面５６Ａ、左面５６Ｂ、前面５６Ｃ、後面５６Ｄによって長方形形状になっており、カバー５０の裏面から下方に向けて突出されている。前面５６Ｃには、壁面５６の外側に向けて凹形状の位置決め部５８が設けられている。後面５６Ｄには後面５６Ｄの下端から前方に向けて突出されている突起６０が設けられている。位置決め部５８と突起６０によって、表示部４３を固定する固定台７０（後述する）をカバー５０に固定する。さらに、右面５６Ａと左面５６Ｂと後面５６Ｄとにはリブ６２が設けられており、リブ６２が固定台７０と接触するようになっている。
【００３９】
図６に示すように、表示部４３は、ディスプレイ４４と回路部４６を備えた液晶ディスプレイであり、回路部４６の上面にディスプレイ４４が重ねられている。回路部４６とディスプレイ４４の左右方向の長さは等しく、回路部４６とディスプレイ４４の左右の縁は上下方向において同じ位置に配置されている。回路部４６とディスプレイ４４の前後方向の長さは、ディスプレイ４４より回路部４６の方が長くなっている。回路部４６とディスプレイ４４の前側の縁は、上下方向において同じ位置に配置されており、回路部４６の後方はディスプレイ４４よりも後ろ側に突出している。回路部４６の突出している部分には、電気ケーブル３８（請求項に記載の電気ケーブルの一例）が接続されており、電気ケーブル３８によって、表示部４３と電気基板３６とが接続されている。表示部４３は、電気ケーブル３８を通して電気基板３６から送信された画像などの情報をディスプレイ４４に表示する。
【００４０】
また、表示部４３は、固定台７０に固定されている。
【００４１】
固定台７０には、後方が開いた長方形形状に右壁７２Ａ、左壁７２Ｂ、前壁７２Ｃからなる壁７２が設けられている。この壁７２に表示部４３の縁である右縁４３Ａ、左縁４３Ｂ、前縁４３Ｃをあわせることで、固定台７０に対して表示部４３を位置決めすることができる。
【００４２】
壁７２Ａ〜７２Ｃには、それぞれ壁７２Ａ〜７２Ｃの上端から突出するフック７４Ａ〜７４Ｃが設けられている。これによって、表示部４３が上に抜けないように固定している。さらに、表示部４３が固定台７０に位置決めされたときの表示部４３の後側の縁（回路部４６の後側の縁）である後縁４３Ｄの位置には、固定台７０から上向きに突出するフック７６が左右方向に並んで設けられている。このフック７６によって、表示部４３が前後方向に動かないように固定される。
【００４３】
固定台７０の前方には、前方に向けて突起を有する係合部７８が備えられている。係合部７８は、固定台７０と接続され、固定台７０から上方に延出されており、延出されている部分を後方に向けて撓ませることができる。
【００４４】
図７は、固定台７０に固定された表示部４３をカバー５０に取り付けた図である。係合部７８は、カバー５０に設けられた位置決め部５８と対応する位置に配置されている。固定台７０は、固定台７０をカバー５０に取り付けるときに位置決め部５８と係合部７８とを係合させることでカバー５０に固定される。
【００４５】
固定台７０の後方には、固定台７０の後端から後方に向けて突出する突出部８０が備えられている。突出部８０は、フック７６よりも内側に左右方向に並んで壁面５６下方の突起６０と対応する位置に配置されている。固定台７０は、カバー５０に取り付けられるときに、突出部８０が突起６０の上方に配置されることで、カバー５０から抜けないように固定され、表示部４３が開口５４と対向する位置に配置される。
【００４６】
固定台７０の表示部４３を固定している位置の下方には、表示部４３と平行な開口である照射口８２が備えられている。照射口８２は、電気基板３６上に配置されるＬＥＤライトから表示部４３に向けて光を照射するために備えられている。ＬＥＤライトは、表示部４３に光を照射することで表示部４３に表示される文字や画像などの情報の視認性をよくしている。
【００４７】
＜絶縁シートの構成＞
開口５４周辺の左右方向の部品の位置関係について説明する。図８に図７のＡ−Ａ‘線の部品の位置関係に表示部４３の下に配置されている電気基板３６を追加した図を示す。開口５４には、絶縁シート４０として、開口５４の表示部４３が設けられている側（下側）に接着剤で隙間なく貼り付けられている第１シート４１（請求項に記載の第1シートの一例）と、開口５４の表示部が設けられている側の反対側（上側）に接着剤で隙間なく貼り付けられている第２シート４２（請求項に記載の第２シートの一例）とが備えられている。
【００４８】
第２シート４２は、開口５４の周りに備えられる下側に凹んだ凹部６４（請求項に記載の凹部の一例）内に配置されている。第２シート４２の右側の縁である第２シート縁４２Ａは、凹部６４の右側の縁である凹部縁６４Ａよりも開口５４の右側の縁である開口縁５４Ａに近い位置に配置されている。また、第２シート４２の上下方向の厚さは、凹部６４の上下方向の深さよりも薄くなっており、カバー５０の表面から第２シート４２が突出しないようになっている。このため、ユーザが操作パネル３０を操作するときに第２シート縁４２Ａに接触しにくくなるため、第２シート４２がはがれにくくなる。
【００４９】
第１シート４１は、カバー５０を挟んで第２シート４２と対向する位置であって、表示部４３の上方に備えられている。第１シート４１の右側の縁である第１シート縁４１Ａは、壁面５６と凹部縁６４Ａより開口縁５４Ａに近い位置に配置されている。さらに、第１シート縁４１Ａは、表示部４３の右側の縁である右縁４３Ａから最も近い第１シート４１上の点である近接点４１Ｅよりも開口縁５４Ａから離れた位置に配置されている。また、近接点４１Ｅから第１シート縁４１Ａまでの距離は、開口縁５４Ａから近接点４１Ｅまでの距離よりも長くなっている。これによって、凹部縁６４Ａと第２シート縁４２Ａの隙間から静電気が侵入したとしても、開口縁５４Ａから第１シート縁４１Ａを経由して右縁４３Ａまで静電気は流れないように十分な沿面距離をとることができる。
【００５０】
ここで沿面距離とは、二つの導電性部材間を絶縁するために必要な距離のことをいい、本実施形態では凹部６４の縁から第２シート４２の下面を通って開口５４を経由し、第1シート４１の上面を通って、第1シート４１の縁から表示部４３の縁までの距離をいう（電気ケーブル３８までの沿面距離という場合は、凹部６４の縁から第１シート４１の縁を通って電気ケーブルまでの距離のことである）。ディスプレイ４４は絶縁性のガラスであるため、ディスプレイ４４の表面に静電気が流れたとしても回路部４６に与える影響は少ない。そのため、ディスプレイ４４と回路部４６とを接続している点である表示部４３の縁までの距離を沿面距離としている。沿面距離を長くすると、ユーザの手からカバー５０と第２シート４２の隙間およびカバー５０と第１シートの隙間を流れて表示部４３に至る静電気放電が起き難くなる。これにより、操作パネル３０を操作するときに発生する静電気が表示部４３に放電される可能性を低減できる。
【００５１】
第１シート４１と第２シート４２の左右方向の長さはほぼ同じ長さのものを使用しており、開口縁５４Ａから第１シート縁４１Ａまでの距離と開口縁５４Ａから第２シート縁４２Ａまでの距離はほぼ等しくなっている。また、開口縁５４Ａから凹部縁６４Ａまでの距離と、開口縁５４Ａから右面５６までの距離はほぼ等しくなっている。さらに、第1シート４１の表示部４３が設けられている側の面である下面から第２シート４２の表示部４３が設けられている側の反対側の面である上面までの距離は、開口縁５４Ａから第１シート縁４１Ａまでの距離よりも短くなっている。そのため、左右方向で沿面距離を長くとっているため、上下方向に操作パネル３０が大きくなってしまうことを防止している。
【００５２】
次に、開口５４周辺の前後方向の部品の位置関係について説明する。図９に図７のＢ−Ｂ‘線における部品の位置関係であって、表示部４３の下に配置され、電気ケーブル３８によって表示部４３と接続される電気基板３６を追加した図を示す。図８に示す左右方向の開口５４の幅と凹部６４の幅より図９に示す上下方向の開口５４の幅と凹部６４の幅の方が狭くなっており、表示部４３には電気ケーブル３８が接続されている。
【００５３】
第２シート４２は、凹部６４内に配置されており、第２シート４２の後側の縁である第２シート縁４２Ｄは凹部６４の後側の縁である凹部縁６４Ｄよりも開口５４の後側の縁である開口縁５４Ｄに近い位置に配置されている。
【００５４】
第１シート４１の後側の縁である第１シート縁４１Ｄは表示部４３の後側の縁である後縁４３Ｄと凹部縁６４Ｄよりも開口縁５４Ｄから離れた位置に配置されている。また、第１シート４１の前側の縁である第1シート縁４１Ｃは、開口５４の前側の縁である開口縁５４Ｃよりも後側であって、壁面５６の後側に配置されている。
【００５５】
電気ケーブル３８が設けられている側に配置されている開口縁５４Ｄから第１シート縁４１Ｄまでの距離は、開口５４を挟んで反対側に配置されている開口縁５４Ｃと第1シート縁４１Ｃとの距離よりも長くなっている。これは、凹部縁６４Ｄから電気ケーブル３８までの沿面距離を長くするための構成である。第1シート縁４１Ｄから後縁４３Ｄまでの距離よりも第１シート縁４１Ｄから電気ケーブル３８までの距離の方が短くなっているため、電気ケーブル３８までの沿面距離が十分に取れない可能性がある。そのため、電気ケーブル３８が配置されている側に配置されている第1シート縁４１Ｄから開口縁５４Ｄまでの距離は、電気ケーブル３８が配置されていない側に配置されている第１シート縁４１Ｃから開口縁５４Ｃまでの距離よりも長くしている。これによって、凹部縁６４Ｄから電気ケーブル３８までの沿面距離を長くしている。
【００５６】
また、後縁４３Ｄに最も近い第１シート４１上の点である近接点４１Ｆから第１シート縁４１Ｄまでの距離は、近接点４１Ｆから開口縁５４Ｄまでの距離よりも長くなっている。これによって、沿面距離を長くとることができ表示部４３の故障を抑制している。
【００５７】
＜本実施形態の作用・効果＞
以上説明した画像形成装置によれば、以下のような作用効果を得ることができる。
【００５８】
本実施形態では、カバー５０に設けられた開口５４の表示部４３側である下面に絶縁部材の第１シート４１を備え、開口５４の表示部４３が設けられていない側である上面に絶縁部材の第２シート４２を備え、第１シート４１と第２シート４２とは対向して開口５４の縁を覆うように配置されている。本構成によって、ユーザが操作パネル３０を操作する際に静電気が発生したとしても、第１シート４１と第２シート４２が備えられているため、開口５４を流れる静電気の沿面距離を長くすることができ、開口５４と対向して配置されている表示部４３を静電気から保護し、表示部４３の故障を抑制することができる。
【００５９】
さらに、第１シートの縁から開口５４の縁までの距離を第１シートの表示部４３側である下面から第２シートの表示部４３の反対側である上面までの距離よりも長くしている。本構成では、開口５４と第１シート４１の接触している距離と第２シート４２と開口５４の接触している距離を左右方向に伸ばすことで、カバー５０表面から表示部４３までの沿面距離を長くとっている。そのため、第１シート４１と第２シート４２と開口５４の上下方向の長さを長くしなくても十分な沿面距離をとることができるので、十分な沿面距離をとりながら、画像形成措置１の小型化を図ることができる。
【００６０】
さらに、第１シート縁４１Ａが第１シート上の右縁４３Ａに最も近い近接点４１Ｅよりも開口縁５４Ａから離れているので、開口縁５４Ａから第１シート縁４１Ａまでの距離が開口縁５４Ａから近接点４１Ｅまでの距離以下のときに比べ、カバー５０表面から表示部４３までの沿面距離を長くすることができ、表示部の故障を抑制することができる。
【００６１】
さらに、開口縁５４Ａから近接点４１Ｅまでの距離よりも第１シート縁４１Ａから近接点４１Ｅまでの距離の方を長くしている。本構成によると、第１シート縁４１Ａを表示部４３からさらに離れた位置に配置することができるので、より沿面距離を長くすることができる。
【００６２】
さらに、電気ケーブル３８が設けられている前側の第１シート縁４１Ｄから開口縁５４Ｄまでの距離は、電気ケーブル３８が設けられていない後側の第１シート縁４１Ｃから開口縁５４Ｃまでの距離よりも長くなっている。本構成によると、電気ケーブル３８は、表示部４３よりも第１シート縁４１Ｄに近い位置に配置されているため、十分な沿面距離がとれない恐れがあったが、第１シート縁４１Ｃよりも第１シート縁４１Ｄを長くすることで、電気ケーブル３８が設けられているときでも、十分な沿面距離を取ることができる。
【００６３】
さらに、開口５４の周りには孔５２が設けられており、カバー５０の表示部４３側の面には壁面５６が形成されている。これによって、開口５４から侵入する静電気のみでなく、孔５２から侵入する静電気に対しても表示部４３までの沿面距離を十分に取ることができる。また、沿面距離を十分に取ることができるので、開口５４と孔５２を近い位置に配置することができ、操作パネル３０のスペースを有効に利用することができる。
【００６４】
さらに、開口縁５４Ａから第１シート縁４１Ａまでの距離と開口縁４１Ａから第２シート縁４２Ａまでの距離を等しくした。絶縁シート４０が配置されている場所には、孔５２を設けられないため操作スイッチ３４を配置することができない。したがって、本構成により、同じ沿面距離をとるために第１シート縁４１Ａもしくは第２シート縁４２Ａのどちらかのみを開口縁５４Ａから離して配置させるのに比べて、操作パネル３０のスペースを有効に利用することができる。
【００６５】
さらに、第２シート４２は、開口５４の周りに設けられた凹部６４内に配置されている。本構成によって、第２シート縁４２Ａ，４２Ｄは、カバー５０の表面から突出しないため、ユーザが作業中に第２シート縁４２Ａ，４２Ｄに触れてしまうことを抑制し、第２シート４２がはがれることを抑制することができる。
【００６６】
さらに、開口縁５４Ａから凹部縁６４Ａまでの距離を開口縁５４Ａから壁面５６までの距離とほぼ等しくした。本構成によって、凹部６４および壁面５６を同じスペースに設けることができるので、凹部６４および壁面５６の周りのスペースを有効に利用することができる。
【符号の説明】
【００６７】
１    画像形成装置
１０  プリンタ部
３０  操作パネル
３２  表示パネル
３４  操作スイッチ
３６  電気基板
３８  電気ケーブル
４０，４１，４２  絶縁シート
４３  表示部
４４  ディスプレイ
４６  回路部
５０  カバー部材
５４  開口
５６  壁面
６４  凹部
７０  固定台
【図１】
0005267549.tif 000002
【図２】
0005267549.tif 000003
【図３】
0005267549.tif 000004
【図４】
0005267549.tif 000005
【図５】
0005267549.tif 000006
【図６】
0005267549.tif 000007
【図７】
0005267549.tif 000008
【図８】
0005267549.tif 000009
【図９】
0005267549.tif 000010